(57)【要約】【課題】筋の目立ち難くすることの可能な発光装置および画像形成装置を提供する。【解決手段】発光装置は、２つのアレイ状発光部、分割部および制御部を備えている。２つのアレイ状発光部は、互いに平行に配列されるとともに、一方のアレイ状発光部が画像形成可能な範囲の一部と、他方のアレイ状発光部が画像形成可能な範囲の一部とが互いに重複するように配列されている。分割部は、複数の画素データからなるビットマップデータの画素パターンに基づいてビットマップデータを複数の部分ビットマップデータに分割する。制御部は、複数の部分ビットマップデータをアレイ状発光部ごとに１つずつ割り当て、割り当てた部分ビットマップデータに基づいて２つのアレイ状発光部を制御する。【選択図】図１１Ａ
2016221762.tif 000002
【特許請求の範囲】
【請求項１】
複数の第１発光素子がアレイ状に配置された第１アレイ状発光部と、
複数の第２発光素子がアレイ状に配置された第２アレイ状発光部と、
複数の画素データからなるビットマップデータの画素パターンに基づいて前記ビットマップデータを複数の部分ビットマップデータに分割する分割部と、
複数の前記部分ビットマップデータを前記第１アレイ状発光部および前記第２アレイ状発光部ごとに１つずつ割り当て、割り当てた前記部分ビットマップデータに基づいて前記第１アレイ状発光部および前記第２アレイ状発光部を制御する制御部と
を備え、
前記第１アレイ状発光部および前記第２アレイ状発光部は、互いに平行に配列されるとともに、前記第１アレイ状発光部が画像形成可能な範囲の一部と、前記第２アレイ状発光部が画像形成可能な範囲の一部とが互いに重複するように配列されている
発光装置。
【請求項２】
前記分割部は、前記第１アレイ状発光部および前記第２アレイ状発光部のうち、画像形成可能な範囲が互いに重複する部分を重複部分と称したときに、前記ビットマップデータのうち、前記重複部分に対応する複数の前記画素データにおいて、隣接する複数の前記画素データが互いに異なる位置を、前記ビットマップデータの分割位置とする
請求項１に記載の発光装置。
【請求項３】
前記分割部は、前記第１アレイ状発光部および前記第２アレイ状発光部のうち、画像形成可能な範囲が互いに重複する部分を重複部分と称したときに、前記ビットマップデータのうち、前記重複部分に対応する複数の前記画素データが全て、非発光に相当するデータである場合には、前記ビットマップデータのうち、前記重複部分に対応する複数の前記画素データにおいて、任意の位置を、前記ビットマップデータの分割位置とする
請求項１に記載の発光装置。
【請求項４】
前記制御部は、前記第１アレイ状発光部および前記第２アレイ状発光部のうち、画像形成可能な範囲が互いに重複する部分を重複部分と称したときに、前記ビットマップデータのうち、前記重複部分に対応する複数の前記画素データが全て、発光に相当するデータである場合には、前記第１アレイ状発光部および前記第２アレイ状発光部のうち、前記重複部分に対応する箇所を全て発光させる制御信号を出力する
請求項１に記載の発光装置。
【請求項５】
前記制御部は、前記第１アレイ状発光部および前記第２アレイ状発光部のうち、互いに重複する部分を重複部分と称したときに、前記ビットマップデータのうち、前記重複部分に対応する複数の前記画素データが全て、非発光に相当するデータである場合には、前記第１アレイ状発光部および前記第２アレイ状発光部のうち、前記重複部分に対応する箇所を全て非発光にする制御信号を出力する
請求項１に記載の発光装置。
【請求項６】
前記分割部は、前記ビットマップデータから１ライン分のラインデータを抽出し、抽出した前記ラインデータの画素パターンに基づいて、前記ラインデータを複数の前記部分ビットマップデータに分割する
請求項１ないし請求項５のいずれか一項に記載の発光装置。
【請求項７】
前記分割部は、前記第１アレイ状発光部および前記第２アレイ状発光部のうち、互いに重複する部分を重複部分と称したときに、前記ラインデータのうち、前記重複部分に対応する複数の前記画素データにおいて、隣接する複数の前記画素データの値が互いに異なる境界位置を、前記ラインデータの分割位置とする
請求項６に記載の発光装置。
【請求項８】
前記分割部は、前記ラインデータのうち、前記重複部分に対応する複数の前記画素データにおいて、複数の前記境界位置が存在する場合、各前記境界位置のうち、隣接する他の前記境界位置が最も遠い前記境界位置を、前記ラインデータの分割位置とする
請求項７に記載の発光装置。
【請求項９】
前記分割部は、前記ラインデータのうち、前記重複部分に対応する複数の前記画素データにおいて、複数の前記境界位置が存在する場合、各前記境界位置のうち、１つ前の前記ラインデータにおける前記分割位置に近い前記境界位置を、前記ラインデータの分割位置とする
請求項７または請求項８に記載の発光装置。
【請求項１０】
感光体層を含む周面を有する像担持体と、
前記周面と対向して配置され、前記周面を露光して潜像を形成する露光部と、
前記周面と対向して配置され、現像剤により前記潜像を現像する現像部材と、
前記露光部を制御する制御部と
を備え、
前記露光部は、
複数の第１発光素子がアレイ状に配置された第１アレイ状発光部と、
複数の第２発光素子がアレイ状に配置された第２アレイ状発光部と
を有し、
前記第１アレイ状発光部および前記第２アレイ状発光部は、互いに平行に配列されるとともに、前記第１アレイ状発光部が画像形成可能な範囲の一部と、前記第２アレイ状発光部が画像形成可能な範囲の一部とが互いに重複するように配列され、
前記制御部は、
複数の画素データからなるビットマップデータの画素パターンに基づいて前記ビットマップデータを複数の部分ビットマップデータに分割する分割部と、
複数の前記部分ビットマップデータを前記第１アレイ状発光部および前記第２アレイ状発光部ごとに１つずつ割り当て、割り当てた前記部分ビットマップデータに基づいて前記第１アレイ状発光部および前記第２アレイ状発光部を制御する制御部と
を有する
画像形成装置。
【発明の詳細な説明】
【技術分野】
【０００１】
本発明は、発光装置および画像形成装置に関する。
【背景技術】
【０００２】
電子写真方式の画像形成装置では、感光ドラムが帯電ローラによって負に帯電された後、感光ドラムのうち、負に帯電した部分に露光ヘッドからの光線が照射されることにより、静電潜像が形成される。この静電潜像は、現像ローラおよび供給ローラから供給された現像剤によって現像され、現像により生成された現像剤像が転写ローラによって用紙上へ転写される。
【０００３】
上記の画像形成装置において、画素数の多い画像の印刷あるいは大判サイズの印刷に対応する方策としては、例えば、印刷用紙の幅と同等の幅を有する幅広の高価で汎用性に乏しい発光ヘッドを用いるか、または、幅の狭い複数の発光ヘッドが平行に配列された、印刷用紙の幅と同等の幅を有する発光ヘッドモジュールを用いることが考えられる。発光ヘッドモジュールに関連する内容が、例えば、特許文献１に開示されている。
【先行技術文献】
【特許文献】
【０００４】
【特許文献１】特開平１０−６７１４０号公報
【発明の概要】
【発明が解決しようとする課題】
【０００５】
しかし、従来の技術においては、大きな画像または画素数の多い画像などを出力するために、出力したい画像より範囲または画素数の足りない複数の発光素子を持つアレイ状発光部を２以上用いて連続する画像を形成すると、各アレイ状発光部にまたがる画像のつなぎ目に筋が生じる問題があった。
【０００６】
本発明はかかる問題点に鑑みてなされたもので、その目的は、筋を目立ち難くすることの可能な発光装置および画像形成装置を提供することにある。
【課題を解決するための手段】
【０００７】
本発明の一実施の形態としての発光装置は、複数の第１発光素子がアレイ状に配置された第１アレイ状発光部と、複数の第２発光素子がアレイ状に配置された第２アレイ状発光部と、分割部と、制御部とを備えている。第１アレイ状発光部および第２アレイ状発光部は、互いに平行に配列されるとともに、第１アレイ状発光部が画像形成可能な範囲の一部と、第２アレイ状発光部が画像形成可能な範囲の一部とが互いに重複するように配列されている。分割部は、複数の画素データからなるビットマップデータの画素パターンに基づいてビットマップデータを複数の部分ビットマップデータに分割するようになっている。制御部は、複数の部分ビットマップデータを線発光部ごとに１つずつ割り当て、割り当てた部分ビットマップデータに基づいて複数の線発光部を制御するようになっている。
【０００８】
本発明の一実施の形態としての画像形成装置は、感光体層を含む周面を有する像担持体と、周面と対向して配置され、周面を露光して潜像を形成する露光部と、周面と対向して配置され、現像剤により潜像を現像する現像部材と、露光部を制御する制御部とを備えている。露光部は、複数の第１発光素子がアレイ状に配置された第１アレイ状発光部と、複数の第２発光素子がアレイ状に配置された第２アレイ状発光部とを有している。第１アレイ状発光部および第２アレイ状発光部は、互いに平行に配列されるとともに、第１アレイ状発光部が画像形成可能な範囲の一部と、第２アレイ状発光部が画像形成可能な範囲の一部とが互いに重複するように配列されている。制御部は、上記分割部と、上記制御部とを有している。
【発明の効果】
【０００９】
本発明の一実施の形態としての発光装置、および本発明の一実施の形態としての画像形成装置によれば、例えば表示画像や印刷画像において、筋を目立ち難くすることができる。
【図面の簡単な説明】
【００１０】
【図１】本発明の第１の実施の形態に係る画像形成装置の概略構成例を表す図である。
【図２】図１の画像形成部の概略構成例を表す図である。
【図３】図１の画像形成装置における制御基板の機能ブロック例を表す図である。
【図４】図２のＬＥＤヘッドの回路構成例を表す図である。
【図５】図３の制御基板における各種波形の一例を表す図である。
【図６】２つのＬＥＤヘッドにラインデータを割り当てる方法の一例を表す図である。
【図７Ａ】２つのＬＥＤヘッドの重なりが想定よりも少ないときに印刷画像に生じる白い筋の一例を表す図である。
【図７Ｂ】２つのＬＥＤヘッドの重なりが想定よりも多いときに印刷画像に生じる黒い筋の一例を表す図である。
【図８】テストチャートを用いて重複部分を特定する手順の一例を表す図である。
【図９】図８に続く手順の一例を表す図である。
【図１０】テストチャートを用いて露光開始タイミングを調整する手順の一例を表す図である。
【図１１Ａ】画素パターンに基づいてラインデータを分割する手順の一例を表す図である。
【図１１Ｂ】画素パターンに基づいてラインデータを分割する手順の一例を表す図である。
【図１１Ｃ】画素パターンに基づいてラインデータを分割する手順の一例を表す図である。
【図１１Ｄ】画素パターンに基づいてラインデータを分割する手順の一例を表す図である。
【図１１Ｅ】画素パターンに基づいてラインデータを分割する手順の一例を表す図である。
【図１１Ｆ】画素パターンに基づいてラインデータを分割する手順の一例を表す図である。
【図１２Ａ】画素パターンに基づいてラインデータを分割する手順の一例を表す図である。
【図１２Ｂ】画素パターンに基づいてラインデータを分割する手順の一例を表す図である。
【図１２Ｃ】画素パターンに基づいてラインデータを分割する手順の一例を表す図である。
【図１２Ｄ】画素パターンに基づいてラインデータを分割する手順の一例を表す図である。
【図１３】ラインデータの分割手順の一例を表す流れ図である。
【図１４】本発明の第２の実施の形態に係る画像形成装置の概略構成例を表す図である。
【図１５】本発明の第３の実施の形態に係る発光装置の概略構成例を表す図である。
【図１６】図１５の画像形成装置における制御基板の機能ブロック例を表す図である。
【図１７】本発明の第４の実施の形態に係る発光装置の概略構成例を表す図である。
【図１８】図１７の画像形成装置における制御基板の機能ブロック例を表す図である。
【発明を実施するための形態】
【００１１】
以下、本発明の実施の形態について、図面を参照して詳細に説明する。以下の説明は本発明の一具体例であって、本発明は以下の態様に限定されるものではない。また、本発明は、各図に示す各構成要素の配置や寸法、寸法比などについても、それらに限定されるものではない。なお、説明は、以下の順序で行う。
１．第１の実施の形態
２つのＬＥＤヘッドからなるモジュールを設けた例
２．第２の実施の形態
各画像形成部において上記モジュールを設けた例
３．第３の実施の形態
残像効果を利用した表示装置に上記モジュールを用いた例
４．第４の実施の形態
残像効果を利用した表示装置において多数の上記モジュールを用いた例
５．変形例
【００１２】
＜１．実施の形態＞
【００１３】
［構成］
図１は、本発明の第１の実施の形態に係る画像形成装置１の概略構成例を表したものである。画像形成装置１は、紙などの媒体ＰＭに対して、電子写真方式を用いて画像を形成するプリンタである。画像形成装置１は、給紙部１０と、搬送部２０と、画像形成部３０と、転写部４０と、定着部５０と、排出部６０とを備えている。給紙部１０、搬送部２０、画像形成部３０、転写部４０、定着部５０および排出部６０は、筐体７０の内部に設けられている。
【００１４】
本明細書では、媒体ＰＭが搬送される通路を搬送路ＰＷという。搬送路ＰＷにおいて、任意の構成要素から見て給紙部１０へ向かう方向または給紙部１０により近い位置を「搬送路ＰＷの上流」という。搬送路ＰＷにおいて、任意の構成要素から見て給紙部１０へ向かう方向とは反対の方向または給紙部１０からより離れた位置を「搬送路ＰＷの下流」という。搬送路ＰＷにおいて、媒体ＰＭが進行する方向（つまり、搬送路ＰＷの上流から搬送路ＰＷの下流に向かう方向）を搬送方向Ｆという。
【００１５】
（給紙部１０の構成）
給紙部１０は、媒体ＰＭを１枚ずつ搬送路ＰＷへ供給するものである。給紙部１０は、例えば、給紙トレイ１１と、ピックアップローラ１２とを有している。給紙トレイ１１には、複数の媒体ＰＭが積層された状態で収容される。給紙トレイ１１は、例えば、画像形成装置１の下部に着脱自在に装着されている。ピックアップローラ１２は、給紙トレイ１１に収容された媒体ＰＭを搬送部２０へ供給するようになっている。ピックアップローラ１２は、後述の制御基板１００による制御を受けて、媒体ＰＭが搬送路ＰＷに繰り出される向きに回転動作するようになっている。
【００１６】
（搬送部２０の構成）
搬送部２０は、給紙部１０からの媒体ＰＭを、斜行規制しつつ、搬送路ＰＷに沿って転写部４０へ搬送するものである。搬送部２０は、給紙部１０よりも搬送路ＰＷの下流に配置されている。搬送部２０は、例えば、レジストローラ対２１，２２と、センサ２３，２４，２５とを有している。
【００１７】
レジストローラ対２１は、レジストローラ対２２よりも搬送路ＰＷの上流に配置されている。レジストローラ対２１は、搬送路ＰＷを搬送される媒体ＰＭに対して突き当て処理を行った後、搬送路ＰＷに沿って媒体ＰＭを搬送方向Ｆへ搬送するようになっている。突き当て処理とは、給紙部１０から搬送される媒体ＰＭの先端を、回転を停止させたレジストローラ対２１に突き当てることを指している。レジストローラ対２１は、媒体ＰＭを搬送する際には、制御基板１００による制御を受けて、媒体ＰＭが搬送方向Ｆに搬送される向きに回転動作するようになっている。センサ２３は、レジストローラ対２１よりも搬送路ＰＷの上流に配置されている。センサ２３は、レジストローラ対２１の駆動タイミングを調整するために、媒体ＰＭの位置検出を行うものである。センサ２３は、例えば、搬送路ＰＷを搬送される媒体ＰＭを検出するようになっている。
【００１８】
レジストローラ対２２は、レジストローラ対２１よりも搬送路ＰＷの下流に配置されている。レジストローラ対２２は、搬送路ＰＷを搬送される媒体ＰＭを、搬送路ＰＷに沿って搬送方向Ｆへ搬送するようになっている。レジストローラ対２２は、制御基板１００による制御を受けて、媒体ＰＭが搬送方向Ｆに搬送される向きに回転動作するようになっている。センサ２４は、搬送路ＰＷにおいて、レジストローラ対２２よりも上流側に配置されている。センサ２４は、レジストローラ対２２の駆動タイミングを調整するために、媒体ＰＭの位置検出を行うものである。センサ２４は、搬送路ＰＷを搬送される媒体ＰＭを検出するようになっている。センサ２５は、搬送路ＰＷにおいて、レジストローラ対２２より下流側に配置されている。センサ２５は、画像形成部３０における画像形成のタイミングを調整するために、媒体ＰＭの位置検出を行うものである。センサ２５は、搬送路ＰＷを搬送される媒体ＰＭを検出するようになっている。
【００１９】
（画像形成部３０の構成）
図２は、画像形成部３０の概略構成例を表したものである。画像形成部３０は、搬送部２０よりも搬送路ＰＷの下流に配置されている。画像形成部３０は、後述の感光ドラム３１の周面３１Ａに画像を形成するものである。画像形成部３０は、例えば、図２（Ｂ）に示したように、感光ドラム３１、帯電ローラ３２、ＬＥＤ（Light Emitting Diode）ヘッドモジュール３３、現像ローラ３４、供給ローラ３５、カートリッジ３６、規制ブレード３８およびクリーニングブレード３９を有している。カートリッジ３６には、現像剤３７が充填される。感光ドラム３１は、本発明の「像担持体」の一具体例に対応する。周面３１Ａは、本発明の「周面」の一具体例に対応する。ＬＥＤヘッドモジュール３３は、本発明の「露光部」の一具体例に対応する。現像ローラ３４は、本発明の「現像部材」の一具体例に対応する。現像剤３７は、本発明の「現像剤」の一具体例に対応する。
【００２０】
感光ドラム３１は、感光体（例えば有機系感光体）を含む周面３１Ａを有しており、静電潜像を周面３１Ａに担持可能な円柱状の部材である。具体的には、感光ドラム３１は、導電性支持体と、その外周（表面）を覆う光導電層とを有している。導電性支持体は、例えば、アルミニウムからなる金属パイプにより構成されている。光導電層は、例えば、電荷発生層および電荷輸送層を順に積層した構造を有している。光導電層の表面が周面３１Ａを構成している。感光ドラム３１は、制御基板１００による制御を受けて、所定の周速度で、媒体ＰＭが搬送方向Ｆに搬送される向きに回転動作するようになっている。
【００２１】
帯電ローラ３２は、感光ドラム３１の周面３１Ａを帯電させる部材（帯電部材）である。帯電ローラ３２は、感光ドラム３１の周面３１Ａに接するように配置されており、周面３１Ａと対向して配置されている。帯電ローラ３２は、例えば、ステンレスからなる金属シャフトと、その外周（表面）を覆う半導電性の弾性層（例えば、半導電性エピクロロヒドリンゴム層）とを有している。帯電ローラ３２は、例えば、感光ドラム３１からの駆動伝達によって、感光ドラム３１とは逆向きに回転動作するようになっている。
【００２２】
ＬＥＤヘッドモジュール３３は、帯電ローラ３２によって帯電した周面３１Ａの帯電領域を露光することにより、周面３１Ａの帯電領域に静電潜像を形成する露光装置である。ＬＥＤヘッドモジュール３３は、周面３１Ａと対向して配置されている。ＬＥＤヘッドモジュール３３は、２つのＬＥＤヘッド３３ａ，３３ｂを有している。２つのＬＥＤヘッド３３ａ，３３ｂは、例えば、図２（Ａ）に示したように、感光ドラム３１の幅方向に延在する帯状の形状となっている。２つのＬＥＤヘッド３３ａ，３３ｂは、周面３１Ａの進行方向において、２つのＬＥＤヘッド３３ａ，３３ｂの端部が互いに重複するように平行に配置されている。２つのＬＥＤヘッド３３ａ，３３ｂは、互いに平行に配列されるとともに、ＬＥＤヘッド３３ａが画像形成可能な範囲の一部と、ＬＥＤヘッド３３ｂが画像形成可能な範囲の一部とが互いに重複するように配列されている。従って、２つのＬＥＤヘッド３３ａ，３３ｂの取り付け位置が、周面３１Ａの回転方向においてずれている。図２（Ａ）、図２（Ｂ）には、ＬＥＤヘッド３３ａが、ＬＥＤヘッド３３ｂと比べて、周面３１Ａの回転方向において上流側に配置されている場合が例示されている。なお、以下では、ＬＥＤヘッド３３ａが、ＬＥＤヘッド３３ｂと比べて、周面３１Ａの回転方向において上流側に配置されているものとして、画像形成装置１の動作等を説明する。
【００２３】
ＬＥＤヘッド３３ａは、線発光部１３３ａを有している。線発光部１３３ａは、複数の発光部がアレイ状に配置されたアレイ状ヘッドの１つであり、例えば、一列に配置された複数のＬＥＤ１３７からなる。ＬＥＤヘッド３３ｂは、線発光部１３３ｂを有している。線発光部１３３ｂは、複数の発光部がアレイ状に配置されたアレイ状ヘッドの１つであり、例えば、一列に配置された複数のＬＥＤ１３７からなる。２つの線発光部１３３ａ，１３３ｂは、例えば、図２（Ａ）に示したように、感光ドラム３１の幅方向に延在する帯状の形状となっている。２つの線発光部１３３ａ，１３３ｂは、周面３１Ａの進行方向において、２つの線発光部１３３ａ，１３３ｂの端部が互いに重複するように平行に配置されている。各ＬＥＤヘッド３３ａ，３３ｂは、例えば、線発光部１３３ａ，１３３ｂから発せられた照射光を感光ドラム３１の表面に結像させるレンズアレイを含んでいてもよい。
【００２４】
現像ローラ３４は、帯電した現像剤３７を表面に担持する部材であり、現像剤３７により静電潜像を現像するようになっている。現像ローラ３４は、感光ドラム３１の周面３１Ａに接するように配置されており、周面３１Ａと対向して配置されている。現像ローラ３４は、例えば、ステンレスからなる金属シャフトと、その外周（表面）を覆う半導電性の弾性層（例えば、半導電性ウレタンゴム層）とを有している。現像ローラ３４は、例えば、感光ドラム３１からの駆動伝達によって、所定の周速度で、感光ドラム３１とは逆向きに回転動作するようになっている。
【００２５】
供給ローラ３５は、現像ローラ３４に対して現像剤３７を供給するための部材（供給部材）であり、現像ローラ３４の表面（周面）に接するように配置されている。供給ローラ３５は、例えば、金属シャフトと、その外周（表面）を覆う発泡性の弾性層（例えば、シリコーンゴム層）とを有している。供給ローラ３５は、例えば、現像ローラ３４からの駆動伝達によって、現像ローラ３４とは逆向きに回転動作するようになっている。
【００２６】
カートリッジ３６は、現像剤３７が収容される容器である。規制ブレード３８は、現像ローラ３４の表面に担持された現像剤３７の層厚を規制するものである。現像剤３７は、例えば、非磁性一成分現像剤である。規制ブレード３８は、例えば、ＳＵＳ（Steel Use Stainless）薄板からなる。クリーニングブレード３９は、感光ドラム３１の表面に残留した現像剤３７を掻き取るものである。クリーニングブレード３９は、例えば、可撓性のゴム材又はプラスチック材からなる。
【００２７】
（転写部４０の構成）
転写部４０は、搬送部２０から搬送されてきた媒体ＰＭに、感光ドラム３１の周面３１Ａに形成された画像（現像剤像）を静電的に転写するものである。転写部４０は、例えば、転写ローラによって構成されている。転写ローラは、感光ドラム３１と対向配置されている。転写ローラは、例えば、発泡性の半導電性弾性ゴム材により構成されている。
【００２８】
（定着部５０の構成）
定着部５０は、転写部４０を通過した媒体ＰＭ上に転写された現像剤像に対し熱および圧力を付与することで、その現像剤像を媒体ＰＭ上に定着させるための部材である。定着部５０は、転写部４０よりも搬送路ＰＷの下流に配置されている。定着部５０は、例えば、上部ローラ５１と、下部ローラ５２とを含んで構成されている。
【００２９】
上部ローラ５１および下部ローラ５２は、各々の内部にハロゲンランプ等の加熱ヒータである熱源を含んで構成されており、媒体ＰＭ上の現像剤像に対して熱を付与する加熱ローラとして機能する。上部ローラ５１は、制御基板１００による制御を受けて、媒体ＰＭが搬送方向Ｆに搬送される向きに回転動作するようになっている。上部ローラ５１および下部ローラ５２内の熱源は、制御基板１００により制御されるバイアス電圧の供給を受け、上部ローラ５１および下部ローラ５２の各表面温度を制御するようになっている。下部ローラ５２は、上部ローラ５１との間に圧接部が形成されるように上部ローラ５１と対向して配置されており、媒体ＰＭ上の現像剤像に対して圧力を付与する加圧ローラとして機能する。下部ローラ５２は、弾性体材料からなる表面層を有しているとよい。
【００３０】
（排出部６０の構成）
排出部６０は、定着部５０によって現像剤像が定着された媒体ＰＭを外部に排出するものである。排出部６０は、例えば、搬送ローラ対６１，６２，６３と、センサ６４とを有している。搬送ローラ対６１，６２，６３は、搬送路ＰＷを介して媒体ＰＭを外部に排出し、外部のスタッカ７０Ａにストックさせるようになっている。搬送ローラ対６１，６２，６３は、制御基板１００による制御を受けて、媒体ＰＭが搬送方向Ｆに搬送される向きに回転動作するようになっている。搬送ローラ対６１，６２，６３は、さらに、例えば、媒体ＰＭをフェイスダウンで外部に排出するようになっている。
【００３１】
センサ６４は、搬送ローラ対６１，６２，６３よりも上流に配置されている。センサ６４は、搬送ローラ対６１，６２，６３の駆動タイミングを調整するために、媒体ＰＭの位置検出を行うものである。センサ６４は、例えば、搬送路ＰＷを搬送される媒体ＰＭを検出するようになっている。
【００３２】
（制御機構）
次に、図１に加えて図３を参照して、画像形成装置１の制御機構の一部について説明する。図３は、画像形成装置１における制御基板１００の機能ブロック例を表したものである。図１および図３に示したように、画像形成装置１は、制御機構として、制御基板１００を備えている。制御基板１００は、例えば、ホストＩ／Ｆ１０１、ＣＰＵ１０２、メカ制御部１０３、画像形成部１０４、分割部１０５、ラインカウンタ１０６およびラインバッファ１０７，１０８を有している。ホストＩ／Ｆ１０１、ＣＰＵ１０２、メカ制御部１０３、画像形成部１０４、分割部１０５およびラインカウンタ１０６は、例えば、ＣＵＰバス１０９に接続されている。
【００３３】
ホストＩ／Ｆ１０１は、画像形成装置１に接続された外部の情報処理装置２００から送られてくる画像データＤｉを取り込み、ＣＰＵ１０２に転送するようになっている。ＣＰＵ１０２は、例えば、メカ制御部１０３、画像形成部１０４、分割部１０５およびラインカウンタ１０６にデータや制御信号を送出し、全体の制御を行うようになっている。メカ制御部１０３は、例えば、センサ２３等からの検知信号１０３Ｃや、ＣＰＵ１０２からの制御信号に基づいて、帯電ローラ３２等を駆動するモータに制御信号１０３Ｂを出力するようになっている。メカ制御部１０３は、また、例えば、センサ２３等からの検知信号１０３Ｃや、ＣＰＵ１０２からの制御信号に基づいて、帯電ローラ３２等に印加する高電圧１０３Ａを、画像形成部３０等に出力するようになっている。メカ制御部１０３は、さらに、例えば、ＣＰＵ１０２からの制御信号に基づいて、ライン同期信号１０３Ｄを生成し、ラインカウンタ１０６およびラインバッファ１０７に出力するようになっている。ＣＰＵ１０２からの制御信号には、ヘッドデータ１０７Ｂを出力するタイミングに関する設定値（後述のタイミングｔａ０など）が含まれる。ライン同期信号１０３Ｄは、ラインバッファ１０７からヘッドデータ１０７Ｂを出力するタイミングを制御する信号である。
【００３４】
画像形成部１０４は、画像形成装置１に接続された外部の情報処理装置２００から送られてくる画像データＤｉを取り込み、印刷可能なデータ形式に変換するようになっている。印刷可能なデータ形式としては、例えば、ビットマップデータＢＭなどのイメージデータが挙げられる。なお、以下では、画像形成部１０４が画像データＤｉをビットマップデータＢＭに変換するものとして説明する。画像形成部１０４は、生成したビットマップデータＢＭを分割部１０５に出力するようになっている。分割部１０５は、ビットマップデータＢＭの画素パターンに基づいて、ビットマップデータＢＭを２つのラインデータＢＭＬＤ１，ＢＭＬＤ２に分割するようになっている。ビットマップデータＢＭが本発明の「ビットマップデータ」の一具体例に対応する。２つのラインデータＢＭＬＤ１，ＢＭＬＤ２が、本発明の「複数の部分ビットマップデータ」の一具体例に対応する。分割部１０５は、生成したラインデータＢＭＬＤ１をラインバッファ１０７に出力するようになっている。分割部１０５は、生成したラインデータＢＭＬＤ２をラインバッファ１０８に出力するようになっている。なお、ビットマップデータＢＭの分割方法については、後に詳述する。
【００３５】
ラインカウンタ１０６は、ＣＰＵ１０２からの制御信号に基づいて、メカ制御部１０３からライン同期信号１０３Ｄが入力されたタイミングから、所定の時間だけ遅れたタイミングで、ライン同期信号１０６Ａをラインバッファ１０８に出力するようになっている。このとき、ＣＰＵ１０２からの制御信号には、ヘッドデータ１０８Ｂを出力するタイミングに関する設定値（後述のタイミングｔｂ０，ｔｂ１，ｔｂ２，ｔｂ３またはｔｂ４など）が含まれる。
【００３６】
上述したように、２つのＬＥＤヘッド３３ａ，３３ｂの取り付け位置が、周面３１Ａの回転方向においてずれている。そのため、２つのＬＥＤヘッド３３ａ，３３ｂの印刷開始位置が互いに異なるので、印刷開始位置のずれの分だけ、ＬＥＤヘッド３３ｂの印刷開始タイミングを、ＬＥＤヘッド３３ａの印刷開始タイミングよりも遅らせる必要がある。ラインカウンタ１０６は、ライン同期信号１０３Ｄがラインバッファ１０７に入力されるタイミングよりも遅れたタイミングでライン同期信号１０６Ａをラインバッファ１０８に出力するようになっている。これにより、ＬＥＤヘッド３３ｂの印刷開始タイミングを、ＬＥＤヘッド３３ａの印刷開始タイミングよりも遅らせることができる。
【００３７】
ラインバッファ１０７は、分割部１０５から入力されたラインデータＢＭＬＤ１を、所定のタイミング（具体的には、ライン同期信号１０３Ｄが入力されたタイミング）で、ヘッドデータ１０７ＢとしてＬＥＤヘッド３３ａに出力するようになっている。ラインバッファ１０８は、分割部１０５から入力されたラインデータＢＭＬＤ２を、所定のタイミング（具体的には、ライン同期信号１０６Ａが入力されたタイミング）で、ヘッドデータ１０７ＢとしてＬＥＤヘッド３３ｂに出力するようになっている。ラインバッファ１０７，１０８は、ヘッドデータ１０７Ｂの他に、クロック１０７Ａ、ラッチ信号１０７Ｃおよびストローブ信号１０７ＤをＬＥＤヘッド３３ａ，３３ｂに出力するようになっている。
【００３８】
次に、ＬＥＤヘッド３３ａ，３３ｂについて説明する。ＬＥＤヘッド３３ａ，３３ｂは、互いに同一の構成となっている。そこで、以下では、ＬＥＤヘッド３３ａ，３３ｂを代表して、ＬＥＤヘッド３３ａについて説明する。図４は、ＬＥＤヘッド３３ａの回路構成例を表したものである。図５は、制御基板１００における各種波形の一例を表したものである。
【００３９】
ＬＥＤヘッド３３ａは、例えば、シフトレジスタ１３１、ラッチ回路１３２、線発光部１３３ａ、複数のＡＮＤゲート１３４、複数の電流制御回路１３５および複数のＦＥＴ１３６を有している。複数のＡＮＤゲート１３４、複数の電流制御回路１３５および複数のＦＥＴ１３６は、それぞれ、ＬＥＤ１３７ごとに１つずつ割り当てられている。例えば、各ＬＥＤ１３７のアノード側の端子と、定電圧ＶＤＤとの間に、電流制御回路１３５およびＦＥＴ１３６が直列に接続されている。ＦＥＴ１３６のゲートには、ＡＮＤゲート１３４の出力端子が接続されており、ＡＮＤゲート１３４の２つの入力端子には、ストローブ信号１０７Ｄが入力される配線と、ラッチ回路１３２の出力端子の１つとが接続されている。
【００４０】
シフトレジスタ１３１は、制御基板１００から入力されたシリアルのヘッドデータ１０７Ｂを、パラレルのヘッドデータ１０７Ｂとしてラッチ回路１３２に出力するようになっている。ＬＥＤヘッド３３ａにおいて、シフトレジスタ１３１は、例えば、ライン同期信号１０３Ｄの入力に同期して入力が開始されたシリアルのヘッドデータ１０７Ｂを、クロック１０７Ａの入力に応じて、１つずつ受け付けるようになっている。ＬＥＤヘッド３３ｂにおいて、シフトレジスタ１３１は、例えば、ライン同期信号１０６Ａの入力に同期して入力が開始されたシリアルのヘッドデータ１０８Ｂを、クロック１０８Ａの入力に応じて、１つずつ受け付けるようになっている。なお、図５には、シリアルのヘッドデータ１０７Ｂの入力が期間Ｔ１から開始され、シリアルのヘッドデータ１０８Ｂの入力が期間Ｔｋから開始される様子が例示されている。
【００４１】
ＬＥＤヘッド３３ａにおいて、ラッチ回路１３２は、ラッチ信号１０７Ｃが入力されたタイミングで、シフトレジスタ１３１から入力されているパラレルのヘッドデータ１０７Ｂを一斉に取り込み、取り込んだヘッドデータ１０７Ｂを出力するようになっている。ＬＥＤヘッド３３ｂにおいて、ラッチ回路１３２は、ラッチ信号１０８Ｃが入力されたタイミングで、シフトレジスタ１３１から入力されているパラレルのヘッドデータ１０８Ｂを一斉に取り込み、取り込んだヘッドデータ１０８Ｂを出力するようになっている。
【００４２】
ＬＥＤヘッド３３ａにおいて、ＡＮＤゲート１３４は、ストローブ信号１０７Ｄおよびラッチ信号１０７Ｃの双方からの入力があった場合に、ＦＥＴ１３６のゲートをオンさせるオン電圧をＦＥＴ１３６のゲートに出力するようになっている。ＬＥＤヘッド３３ｂにおいて、ＡＮＤゲート１３４は、ストローブ信号１０８Ｄおよびラッチ信号１０８Ｃの双方からの入力があった場合に、ＦＥＴ１３６のゲートをオンさせるオン電圧をＦＥＴ１３６のゲートに出力するようになっている。
【００４３】
電流制御回路１３５は、ＬＥＤ１３７を発光させるのに必要な電流を出力するようになっている。ＦＥＴ１３は、ストローブ信号１０７Ｄ，１０８Ｄの入力によってオンするようになっている。ＬＥＤ１３７は、閾値電流よりも大きな電流の印加により発光するようになっている。
【００４４】
次に、ビットマップデータＢＭの分割方法について説明する。最初は、ビットマップデータＢＭの一般的な分割方法について説明し、その後、本実施の形態におけるビットマップデータＢＭの分割方法について説明する。
【００４５】
図６（Ａ）〜図６（Ｄ）は、２つのＬＥＤヘッド３３ａ，３３ｂ（２つの線発光部１３３ａ，１３３ｂ）にラインデータＢＭＬＤ１，ＢＭＬＤ２を割り当てる方法の一例を表したものである。図６（Ａ）は、周面３１Ａの進行方向において端部が互いに重複するように平行に配列された２つの線発光部１３３ａ，１３３ｂを模式的に表したものである。図６（Ｂ）は、ビットマップデータＢＭから抜き出した１ライン分のデータ（ラインデータＢＭＬＤ）を模式的に表したものである。図６（Ａ），図６（Ｂ）には、ラインデータＢＭＬＤの中心（論理中心ｃ１）と、重複部分ＯＬを有する２つの線発光部１３３ａ，１３３ｂを１本の発光部とみなしたときの、その発光部の中心（物理中心ｃ２）とが、互いに一致している様子が例示されている。図６（Ｃ）は、線発光部１３３ａに割り当てられるラインデータＢＭＬＤａと、線発光部１３３ｂに割り当てられるラインデータＢＭＬＤｂとを模式的に表したものである。図６（Ｄ）は、複数の線状像Ｉｄが印刷された媒体ＰＭを模式的に表したものである。重複部分ＯＬとは、２つのＬＥＤヘッド３３ａ，３３ｂのうち、画像形成可能な範囲が互いに重複する部分を指している。
【００４６】
ラインデータＢＭＬＤは、Ｎ個の画素データＰｘ（１）〜Ｐｘ（Ｎ）からなる。従って、図６（Ａ）〜図６（Ｄ）では、論理中心ｃ１は画素データＰｘ（Ｎ／２）の位置にある。ラインデータＢＭＬＤは、論理中心ｃ１で２つのラインデータＢＭＬＤ１，ＢＭＬＤ２に分割される。ラインデータＢＭＬＤ１は線発光部１３３ａに割り当てられ、ラインデータＢＭＬＤ２は線発光部１３３ｂに割り当てられる。線発光部１３３ａ，１３３ｂは、それぞれ、一列に配列されたＭ個のＬＥＤ１３７からなる。Ｍは、Ｎ／２よりも大きい値である。従って、ラインデータＢＭＬＤ１は、線発光部１３３ａに割り当てられるラインデータＢＭＬＤａの一部に割り当てられる。ラインデータＢＭＬＤａにおいて、ラインデータＢＭＬＤ１の割り当てられていない箇所には、初期値（非発光データ）が割り当てられる。同様に、ラインデータＢＭＬＤ２は、線発光部１３３ｂに割り当てられるラインデータＢＭＬＤｂの一部に割り当てられる。ラインデータＢＭＬＤｂにおいて、ラインデータＢＭＬＤ２の割り当てられていない箇所には、初期値（非発光データ）が割り当てられる。
【００４７】
上述したように、論理中心ｃ１と物理中心ｃ２とが互いに一致している。そのため、図６（Ｂ）に示したように、発光（白丸）、非発光（黒丸）が交互に並んだテストチャートを、Ｎ個の画素データＰｘ（１）〜Ｐｘ（Ｎ）として設定し、ラインデータＢＭＬＤ１，ＢＭＬＤ２を上述したようにラインデータＢＭＬＤａ，ＢＭＬＤｂに割り当てた上で、２つのＬＥＤヘッド３３ａ，３３ｂによって媒体ＰＭに複数の線状像Ｉｄを印刷した場合には、図６（Ｄ）に示したように、各線状像Ｉｄが均等な間隔で印刷される。なお、ＬＥＤ１３７の発光により露光した周面３１Ａの感光体では、帯電電位が低下して、帯電した現像剤３７が付着し、画素が描画される。従って、発光（白丸）は、画素が描画されることを指している。一方、ＬＥＤ１３７の非発光により露光しない周面３１Ａの感光体では、帯電電位が維持されており、帯電した現像剤３７が反発し、画素が描画されない。従って、非発光（黒丸）は、画素が描画されないことを指している。
【００４８】
しかし、実際には、２つのＬＥＤヘッド３３ａ，３３ｂの配置誤差によって、例えば、図７Ａや図７Ｂに示したように、重複部分ＯＬの大きさが、論理中心ｃ１と物理中心ｃ２とが互いに一致しているときの重複部分ＯＬの大きさと異なっている。そのため、ラインデータＢＭＬＤを論理中心ｃ１で２つのラインデータＢＭＬＤ１，ＢＭＬＤ２に分割したときには、印刷された白黒のストライプの中に、白領域ＷＲや黒領域ＢＲが現れる。これら白領域ＷＲや黒領域ＢＲが観察者から筋として認識される。２つのＬＥＤヘッド３３ａ，３３ｂを精度よく取り付けることで、このような筋を目立たなくすることが可能である。しかし、２つのＬＥＤヘッド３３ａ，３３ｂの取り付け精度を高くしようとすると、製造コストが大幅に上昇する虞がある。
【００４９】
次に、本実施の形態におけるビットマップデータＢＭの分割方法について説明する。本実施の形態におけるビットマップデータＢＭの分割は、以下に示した手順を経ることにより実施される。
（１）テストチャートを用いて重複部分ＯＬを特定する手順
（２）テストチャートを用いて露光開始タイミングを調整する手順
（３）画素パターンに基づいてラインデータＢＭＬＤを分割する手順
【００５０】
（（１）の手順）
図８（Ａ）〜図８（Ｅ）は、テストチャートを用いて重複部分ＯＬを特定する手順の一例を概念的に表したものである。図９（Ａ）〜図９（Ｃ）は、図８に続く手順の一例を概念的に表したものである。図８（Ａ）の右上には、周面３１Ａの進行方向において端部が互いに重複するように平行に配列された２つの線発光部１３３ａ，１３３ｂが模式的に表されている。図８（Ａ）〜図８（Ｅ）および図９（Ａ）〜図９（Ｃ）において、右側には、線発光部１３３ａに割り当てられるラインデータＢＭＬＤａと、線発光部１３３ｂに割り当てられるラインデータＢＭＬＤｂとが模式的に表されている。図８（Ａ）〜図８（Ｅ）および図９（Ａ）〜図９（Ｃ）において、左側には、複数の線状像Ｉｄが印刷された媒体ＰＭが模式的に表されている。
【００５１】
図８（Ａ）において、設定ａ０とは、ラインデータＢＭＬＤ１を、Ｎ／２個の画素データが発光（白丸）、非発光（黒丸）交互に並んだテストチャートにすることを指している。つまり、設定ａ０とは、ラインデータＢＭＬＤを論理中心ｃ１で２つに分割することを指している。図８（Ａ）において、設定ｂ０とは、ラインデータＢＭＬＤ２を、Ｎ／２個の画素データが発光（白丸）、非発光（黒丸）交互に並んだテストチャートにすることを指している。つまり、設定ｂ０とは、ラインデータＢＭＬＤを論理中心ｃ１で２つに分割することを指している。
【００５２】
図８（Ｂ）において、設定ｂ１とは、ラインデータＢＭＬＤ２を、（Ｎ／２＋１）個の画素データが発光（白丸）、非発光（黒丸）交互に並んだテストチャートにすることを指している。つまり、設定ｂ１とは、画素データが発光（白丸）、非発光（黒丸）交互に並んだテストチャートとなっているラインデータＢＭＬＤを論理中心ｃ１の１つ右隣で２つに分割することを指している。図８（Ｃ）における設定ｂ２とは、ラインデータＢＭＬＤ２を、（Ｎ／２＋２）個の画素データが発光（白丸）、非発光（黒丸）交互に並んだテストチャートにすることを指している。つまり、設定ｂ２とは、画素データが発光（白丸）、非発光（黒丸）交互に並んだテストチャートとなっているラインデータＢＭＬＤを論理中心ｃ１の２つ右隣で２つに分割することを指している。図８（Ｄ）における設定ｂ３とは、ラインデータＢＭＬＤ２を、（Ｎ／２＋３）個の画素データが発光（白丸）、非発光（黒丸）交互に並んだテストチャートにすることを指している。つまり、設定ｂ３とは、画素データが発光（白丸）、非発光（黒丸）交互に並んだテストチャートとなっているラインデータＢＭＬＤを論理中心ｃ１の３つ右隣で２つに分割することを指している。図８（Ｅ）における設定ｂ４とは、ラインデータＢＭＬＤ２を、（Ｎ／２＋４）個の画素データが発光（白丸）、非発光（黒丸）交互に並んだテストチャートにすることを指している。つまり、設定ｂ４とは、画素データが発光（白丸）、非発光（黒丸）交互に並んだテストチャートとなっているラインデータＢＭＬＤを論理中心ｃ１の４つ右隣で２つに分割することを指している。
【００５３】
図９（Ａ）における設定ｂ５とは、ラインデータＢＭＬＤ２を、（Ｎ／２＋５）個の画素データが発光（白丸）、非発光（黒丸）交互に並んだテストチャートにすることを指している。つまり、設定ｂ５とは、画素データが発光（白丸）、非発光（黒丸）交互に並んだテストチャートとなっているラインデータＢＭＬＤを論理中心ｃ１の５つ右隣で２つに分割することを指している。図９（Ｂ）における設定ｂ６とは、ラインデータＢＭＬＤ２を、（Ｎ／２＋６）個の画素データが発光（白丸）、非発光（黒丸）交互に並んだテストチャートにすることを指している。つまり、設定ｂ６とは、画素データが発光（白丸）、非発光（黒丸）交互に並んだテストチャートとなっているラインデータＢＭＬＤを論理中心ｃ１の６つ右隣で２つに分割することを指している。図９（Ｃ）における設定ｂ７とは、ラインデータＢＭＬＤ２を、（Ｎ／２＋７）個の画素データが発光（白丸）、非発光（黒丸）交互に並んだテストチャートにすることを指している。つまり、設定ｂ７とは、画素データが発光（白丸）、非発光（黒丸）交互に並んだテストチャートとなっているラインデータＢＭＬＤを論理中心ｃ１の７つ右隣で２つに分割することを指している。
【００５４】
設定が、設定ａ０，ｂ０、設定ａ０，ｂ１、設定ａ０，ｂ２、設定ａ０，ｂ３、設定ａ０，ｂ４、設定ａ０，ｂ５、設定ａ０，ｂ６、設定ａ０，ｂ７の順に変わりながら、設定ごとに印刷が実行される。つまり、画素データが発光（白丸）、非発光（黒丸）交互に並んだテストチャートとなっているラインデータＢＭＬＤの分割位置を中央（論理中心ｃ１）から１つずつずらしながら、印刷が実行される。その結果、図８（Ａ）〜図（Ｅ）および図９（Ａ）〜図９（Ｃ）の左側に記載したような印刷画像が得られる。設定が上記のように変化するにつれて、当初は、白黒のストライプの中の白領域ＷＲが徐々に狭くなっていく。しかし、設定ａ０，ｂ４において、白領域ＷＲがなくなり、各線状像Ｉｄが均等な間隔となる。その後、白黒のストライプの中に黒領域ＢＲが断続的に現れ、白黒のストライプの中の黒領域ＢＲが徐々に広がっていく。このような結果から、設定ａ０，ｂ４が設定されたときに、ラインデータＢＭＬＤ２の右端の１つ右隣の位置が、ラインデータＢＭＬＤ１の左端の位置と一致すると言える。このことから、線発光部１３３ｂの、線発光部１３３ａに対する相対位置が、論理中心ｃ１と物理中心ｃ２とが互いに一致しているときと比べて、４画素分左にずれていることがわかる。また、重複部分ＯＬの画素数が、論理中心ｃ１と物理中心ｃ２とが互いに一致しているときの重複部分ＯＬの画素数と比べて、４画素少ないこともわかる。また、物理中心ｃ２が、論理中心ｃ１から、ずれ量の半分（４画素／２＝２画素）だけ左にずれていることもわかる。また、これらのことから、ビットマップデータＢＭまたはラインデータＢＭＬＤにおける、重複部分ＯＬに対応する画素データを特定することができる。
【００５５】
このように、画素データが発光（白丸）、非発光（黒丸）交互に並んだテストチャートとなっているラインデータＢＭＬＤの分割位置を中央（論理中心ｃ１）から右方向または左方向に１つずつずらしながら、印刷を実行することにより、ビットマップデータＢＭまたはラインデータＢＭＬＤにおける、重複部分ＯＬに対応する画素データを特定することができる。
【００５６】
（（２）の手順）
図１０（Ａ）〜図１０（Ｅ）は、テストチャートを用いて露光開始タイミングを調整する手順の一例を概念的に表したものである。図１０（Ａ）の右上には、周面３１Ａの進行方向において端部が互いに重複するように平行に配列された２つの線発光部１３３ａ，１３３ｂが模式的に表されている。図１０（Ａ）〜図１０（Ｅ）において、右側には、線発光部１３３ａに割り当てられるラインデータＢＭＬＤａと、線発光部１３３ｂに割り当てられるラインデータＢＭＬＤｂとが模式的に表されている。図１０（Ａ）〜図１０（Ｅ）において、左側には、複数の線状像Ｉｄが印刷された媒体ＰＭが模式的に表されている。図１０（Ａ）〜図１０（Ｅ）において、タイミングｔａ０は、線発光部１３３ａの発光タイミングであり、ライン同期信号１０３Ｄによって制御される。図１０（Ａ）〜図１０（Ｅ）において、タイミングｔｂ０，ｔｂ１，ｔｂ２，ｔｂ３，ｔｂ４は、線発光部１３３ｂの発光タイミングであり、ライン同期信号１０６Ａによって制御される。
【００５７】
図１０（Ａ）において、タイミングｔｂ０は、タイミングｔａ０から所定の期間Δｔ１だけ遅れたタイミングとなっている。図１０（Ｂ）において、タイミングｔｂ１は、タイミングｔａ０から所定の期間Δｔ２（＞Δｔ１）だけ遅れたタイミングとなっている。図１０（Ｃ）において、タイミングｔｂ２は、タイミングｔａ０から所定の期間Δｔ３（＞Δｔ２）だけ遅れたタイミングとなっている。図１０（Ｄ）において、タイミングｔｂ３は、タイミングｔａ０から所定の期間Δｔ３（＞Δｔ２）だけ遅れたタイミングとなっている。図１０（Ｅ）において、タイミングｔｂ４は、タイミングｔａ０から所定の期間Δｔ４（＞Δｔ３）だけ遅れたタイミングとなっている。
【００５８】
図１０（Ａ）〜図１０（Ｅ）において、ラインデータＢＭＬＤ１は、タイミングｔａ０のときに、全ての画素データが発光（白丸）に対応したテストチャートとなり、他のタイミングのときに、全ての画素データが非発光（黒丸）に対応したテストチャートとなる。図１０（Ａ）において、ラインデータＢＭＬＤ２は、タイミングｔｂ０のときに、全ての画素データが発光（白丸）に対応したテストチャートとなり、他のタイミングのときに、全ての画素データが非発光（黒丸）に対応したテストチャートとなる。図１０（Ｂ）において、ラインデータＢＭＬＤ２は、タイミングｔｂ１のときに、全ての画素データが発光（白丸）に対応したテストチャートとなり、他のタイミングのときに、全ての画素データが非発光（黒丸）に対応したテストチャートとなる。図１０（Ｃ）において、ラインデータＢＭＬＤ２は、タイミングｔｂ２のときに、全ての画素データが発光（白丸）に対応したテストチャートとなり、他のタイミングのときに、全ての画素データが非発光（黒丸）に対応したテストチャートとなる。図１０（Ｄ）において、ラインデータＢＭＬＤ２は、タイミングｔ３のときに、全ての画素データが発光（白丸）に対応したテストチャートとなり、他のタイミングのときに、全ての画素データが非発光（黒丸）に対応したテストチャートとなる。図１０（Ｅ）において、ラインデータＢＭＬＤ２は、タイミングｔ４のときに、全ての画素データが発光（白丸）に対応したテストチャートとなり、他のタイミングのときに、全ての画素データが非発光（黒丸）に対応したテストチャートとなる。
【００５９】
露光開始のタイミングが、タイミングｔａ０，ｔｂ０、タイミングｔａ０，ｔｂ１、タイミングｔａ０，ｔｂ２、タイミングｔａ０，ｔｂ３、タイミングｔａ０，ｔｂ４の順に変わりながら、設定されたタイミングごとに印刷が実行される。つまり、線発光部１３３ｂの発光タイミングを徐々にずらしながら、印刷が実行される。その結果、図１０（Ａ）〜図１０（Ｅ）の左側に記載したような印刷画像が得られる。露光開始のタイミングが上記のように変化するにつれて、当初は、線状像Ｉｄ同士の間隔が徐々に変化していく。しかし、設定ｔａ０，ｔｂ２において、線状像Ｉｄ同士が互いに重なり合い、きれいな白黒のストライプが現れる。その後、再び、線状像Ｉｄ同士の間隔が徐々に変化していく。このような結果から、タイミングｔａ０，ｔｂ２が設定されたときに、媒体ＰＭの進行方向におけるずれが最小となることがわかる。
【００６０】
このように、線発光部１３３ｂの発光タイミングを徐々に遅らせたり、早めたりしながら、印刷を実行することにより、線発光部１３３ａ，１３３ｂの適切な発光タイミングを特定することができる。
【００６１】
（（３）の手順）
図１１Ａ〜図１１Ｆおよび図１２Ａ〜図１２Ｄは、画素パターンに基づいてラインデータＢＭＬＤを分割する手順の一例を表したものである。図１１Ａ〜図１１Ｆおよび図１２Ａ〜図１２Ｄには、ビットマップデータＢＭまたはラインデータＢＭＬＤにおいて、重複部分ＯＬに対応する各画素データ（以下、単に「重複部分ＯＬのラインデータ」と称する。）が模式的に表されている。重複部分ＯＬのラインデータは、例えば、上記の（１）の手順の実施によって特定される。なお、図１１Ａ〜図１１Ｆおよび図１２Ａ〜図１２Ｄにおいて、重複部分ＯＬのラインデータは、Ｐｘ（ｋ）〜Ｐｘ（Ｍ）で表されている。
【００６２】
例えば、図１１Ａ〜図１１Ｃに示したように、重複部分ＯＬのラインデータにおいて、隣接する２つの画素データが互いに異なる位置が存在するとする。このとき、分割部１０５は、まず、ビットマップデータＢＭから、１ライン分のラインデータＢＭＬＤを抽出し、抽出したラインデータＢＭＬＤの画素パターンに基づいて、ラインデータＢＭＬＤを２つのラインデータＢＭＬＤ１，ＢＭＬＤ２に分割するようになっている。具体的には、分割部１０５は、まず、ビットマップデータＢＭから、１ライン分のラインデータＢＭＬＤを抽出し、抽出したラインデータＢＭＬＤのうち、重複部分ＯＬに対応する複数の画素データ（重複部分ＯＬのラインデータ）において、隣接する２つの画素データが互いに異なる境界位置を、ラインデータＢＭＬＤの分割位置（最大長境界ＢＬ）とするようになっている。なお、分割部１０５は、ビットマップデータＢＭのうち、重複部分ＯＬに対応する複数の画素データにおいて、隣接する２つの画素データが互いに異なる位置を、ビットマップデータＢＭの分割位置（最大長境界ＢＬ）とするようになっていてもよい。
【００６３】
ここで、例えば、図１１Ｂ、図１１Ｃに示したように、重複部分ＯＬのラインデータにおいて、隣接する２つの画素データが互いに異なる境界位置が複数存在することがある。分割部１０５は、この場合には、各境界位置のうち、隣接する他の境界位置が最も遠い境界位置を、ビットマップデータＢＭまたはラインデータＢＭＬＤの分割位置（最大長境界ＢＬ）とするようにしてもよい。これにより、ビットマップデータＢＭまたはラインデータＢＭＬＤが、筋が目立ち難い画素パターンの輪郭（外縁）部分で２つのラインデータＢＭＬＤ１，ＢＭＬＤ２に分割され得る。
【００６４】
例えば、図１１Ｄに示したように、重複部分ＯＬのラインデータが全て、非発光に相当するデータとなっていることがある。分割部１０５は、この場合には、例えば、図１１Ｄに示したように、ビットマップデータＢＭまたはラインデータＢＭＬＤのうち、重複部分ＯＬに対応する複数の画素データ（重複部分ＯＬのラインデータ）において、任意の位置を、ビットマップデータＢＭまたはラインデータＢＭＬＤの分割位置（最大長境界ＢＬ）とするようになっている。このとき、分割部１０５は、重複部分ＯＬのラインデータにおいて、論理中心ｃ１を、ビットマップデータＢＭまたはラインデータＢＭＬＤの分割位置とするようになっていてもよい。また、分割部１０５が、１つ前のラインデータＢＭＬＤにおける分割位置（最大長境界ＢＬ）を記憶している場合には、次のラインデータＢＭＬＤにおける分割位置（最大長境界ＢＬ）を、記憶している分割位置（最大長境界ＢＬ）または、記憶している分割位置（最大長境界ＢＬ）に最も近い境界位置に設定するようになっていてもよい。
【００６５】
重複部分ＯＬのラインデータが全て、発光に相当するデータとなっている場合には、分割部１０５は、例えば、図１１Ｅに示したように、ラインデータＢＭＬＤａ，ＢＭＬＤｂにおいて、重複部分ＯＬに対応する全ての画素データを、発光に相当するデータに設定するようになっていてもよい。つまり、制御基板１００は、この場合には、各線発光部１３３ａ，１３３ｂのうち、重複部分ＯＬに対応する箇所を全て発光させる制御信号を出力するようになっている。
【００６６】
先に記載した重複部分ＯＬのラインデータが全て非発光に相当するデータとなっている場合の変形例として、分割部１０５は、例えば、図１１Ｆに示したように、ラインデータＢＭＬＤａ，ＢＭＬＤｂにおいて、重複部分ＯＬに対応する全ての画素データを、非発光に相当するデータに設定するようになっている。つまり、制御基板１００は、この場合には、各線発光部１３３ａ，１３３ｂのうち、重複部分ＯＬに対応する箇所を全て非発光にする制御信号を出力するようになっている。
【００６７】
また、例えば、図１２Ａ〜図１２Ｄに示したように、重複部分ＯＬのラインデータにおいて、隣接する２つの画素データが互いに異なる境界位置が複数存在しており、さらに、複数の境界位置が、隣接する他の境界位置が最も遠い境界位置に該当することがある。この場合には、分割部１０５は、ビットマップデータＢＭまたはラインデータＢＭＬＤにおける、重複部分ＯＬに対応する各画素データのうち、論理中心ｃ１に最も近い境界位置をビットマップデータＢＭまたはラインデータＢＭＬＤの分割位置（最大長境界ＢＬ）とするようになっていてもよい。また、分割部１０５が、前回のラインデータＢＭＬＤにおける分割位置（最大長境界ＢＬ）を記憶している場合には、次のラインデータＢＭＬＤにおける分割位置（最大長境界ＢＬ）を、記憶している分割位置（最大長境界ＢＬ）または、記憶している分割位置（最大長境界ＢＬ）に最も近い境界位置に設定するようにしてもよい。このとき、分割部１０５は、前回の重複部分ＯＬのラインデータの画素パターンを参照して、分割位置（最大長境界ＢＬ）を設定するようにしてもよい。例えば、今回の重複部分ＯＬのラインデータの画素パターンが、前回の重複部分ＯＬのラインデータの画素パターンと一致する場合には、分割部１０５は、前回の分割位置（最大長境界ＢＬ）を、今回の分割位置（最大長境界ＢＬ）に設定するようにしてもよい。例えば、今回の重複部分ＯＬのラインデータの画素パターンが、前回の重複部分ＯＬのラインデータの画素パターンと一致しない場合には、分割部１０５は、複数の境界位置のうち、いずれかを、分割位置（最大長境界ＢＬ）として任意に選択するようにしてもよい。
【００６８】
図１３は、ラインデータＢＭＬＤの分割手順の一例を表したものである。分割部１０５は、まず、ビットマップデータＢＭから、１ライン分のラインデータＢＭＬＤを抽出する（ステップＳ１０１）。次に、分割部１０５は、抽出したラインデータＢＭＬＤのうち、重複部分ＯＬに対応する複数の画素データ（重複部分ＯＬのラインデータ）を切り出す（ステップＳ１０２）。
【００６９】
次に、分割部１０５は、重複部分ＯＬのラインデータにおいて、隣接する２つの画素データが互いに異なる境界位置を抽出する（ステップＳ１０３）。次に、分割部１０５は、境界位置の数を数える（ステップＳ１０４）。その結果、境界位置の数がゼロの場合には、分割部１０５は、重複部分ＯＬのラインデータが全て、発光（白丸）、非発光（黒丸）に相当するデータで構成されているか否か判定する（ステップＳ１０５）。その結果、重複部分ＯＬのラインデータが全て、発光に相当するデータで構成されている場合には、分割部１０５は、例えば、論理中心ｃ１を分割位置（最大長境界ＢＬ）として設定する（ステップＳ１０６）。重複部分ＯＬのラインデータが全て、非発光に相当するデータで構成されている場合には、分割部１０５は、ラインデータＢＭＬＤａ，ＢＭＬＤｂにおいて、重複部分ＯＬに対応する全ての画素データを、非発光に相当するデータに設定する（ステップＳ１０７）。その後、分割部１０５は、前回の分割位置（最大長境界ＢＬ）に関する情報をリセットする（ステップＳ１０８）。
【００７０】
ステップＳ１０４において、境界位置の数が１つの場合には、分割部１０５は、抽出した１つの境界位置を分割位置（最大長境界ＢＬ）として設定する（ステップＳ１０９）。ステップＳ１０４において、境界位置の数が２以上の場合には、分割部１０５は、前回の分割位置（最大長境界ＢＬ）に関する情報が存在しているか否か判定する（ステップＳ１１０）。その結果、前回の分割位置（最大長境界ＢＬ）に関する情報が存在していない場合には、分割部１０５は、探索された複数の境界位置のうち、いずれかを、分割位置（最大長境界ＢＬ）として任意に選択する（ステップＳ１１１）。前回の分割位置（最大長境界ＢＬ）に関する情報が存在していた場合には、分割部１０５は、今回の重複部分ＯＬのラインデータの画素パターンが、前回の重複部分ＯＬのラインデータの画素パターンと一致するか否かを判定する（ステップＳ１１２）。その結果、今回の重複部分ＯＬのラインデータの画素パターンが、前回の重複部分ＯＬのラインデータの画素パターンと一致する場合には、分割部１０５は、前回の分割位置（最大長境界ＢＬ）を、今回の分割位置（最大長境界ＢＬ）とする（ステップＳ１１３）。今回の重複部分ＯＬのラインデータの画素パターンが、前回の重複部分ＯＬのラインデータの画素パターンと一致しない場合には、分割部１０５は、探索された複数の境界位置のうち、いずれかを、分割位置（最大長境界ＢＬ）として任意に選択する（ステップＳ１１４）。このようにして、ラインデータＢＭＬＤが２つのラインデータＢＭＬＤ１，ＢＭＬＤ２に分割される。
【００７１】
[効果]
次に、画像形成装置１の効果について説明する。
【００７２】
一般に、大判サイズの印刷に対応する方策としては、例えば、印刷用紙の幅と同等の幅を有する幅広の露光ヘッドを用いるか、または、幅の狭い複数の露光ヘッドが平行に配列された、印刷用紙の幅と同等の幅を有する露光ヘッドモジュールを用いることが考えられる。しかし、幅広の露光ヘッドは、通常サイズ印刷用の画像形成装置には用いられないので、幅広の露光ヘッドは汎用性に乏しい。一方、露光ヘッドモジュールでは、印刷したときに、隣り合う露光ヘッド同士のつなぎ目に相当する箇所に、筋が生じてしまうことがある。各露光ヘッドの位置や露光タイミングなどを調整することにより、ある程度は、筋を見えにくくすることは可能である。しかし、筋を目立たせなくすることは非常に難しい。
【００７３】
一方、本実施の形態の画像形成装置１では、ビットマップデータＢＭまたはラインデータＢＭＬＤの画素パターンに基づいて、ビットマップデータＢＭまたはラインデータＢＭＬＤが複数のラインデータＢＭＬＤ１，ＢＭＬＤ２に分割される。これにより、ビットマップデータＢＭまたはラインデータＢＭＬＤを、筋が目立ち難い画素パターンの輪郭（外縁）部分で２つのラインデータＢＭＬＤ１，ＢＭＬＤ２に分割することが可能となる。その結果、筋を目立ち難くすることができる。
【００７４】
以下に、本発明の他の実施の形態に係る画像形成装置もしくは発光装置について説明する。なお、以下では、上記実施の形態と共通の構成要素に対しては、上記実施の形態で付されていた符号と同一の符号が付される。また、上記実施の形態と異なる構成要素の説明を主に行い、上記実施の形態と共通の構成要素の説明については、適宜、省略するものとする。
【００７５】
＜２．第２の実施の形態＞
次に、本発明の第２の実施の形態に係る画像形成装置２について説明する。図１４は、画像形成装置２の概略構成例を表したものである。画像形成装置２は、画像形成装置１において複数の画像形成部３０を設けたものに相当する。画像形成装置２は、例えば、図１４に示したように、搬送路ＰＷに沿って並んで配置された４つの画像形成部３０（３０Ｙ，３０Ｍ，３０Ｃ，３０Ｋ）を備えている。４つの画像形成部３０（３０Ｙ，３０Ｍ，３０Ｃ，３０Ｋ）は、それぞれ対応する各色のトナー、すなわち、イエロートナー、マゼンタトナー、シアントナーおよびブラックトナーを用いて、各色のトナー像（画像）を形成するものである。４つの画像形成部３０（３０Ｙ，３０Ｍ，３０Ｃ，３０Ｋ）は、例えば、搬送方向Ｆに向かって、画像形成部３０Ｙ、画像形成部３０Ｍ、画像形成部３０Ｃ、画像形成部３０Ｋの順に配置されている。
【００７６】
各画像形成部３０（３０Ｙ，３０Ｍ，３０Ｃ，３０Ｋ）に対して、上記実施の形態における「（１）の手順、および（２）の手順」が実施される。分割部１０５は、４つの画像形成部３０（３０Ｙ，３０Ｍ，３０Ｃ，３０Ｋ）のうち、いずれか１つの画像形成部３０に対応する色のビットマップデータＢＭまたはラインデータＢＭＬＤの画素パターンに基づいて、ビットマップデータＢＭまたはラインデータＢＭＬＤを分割するようになっている。つまり、本実施の形態では、分割部１０５は、４つの画像形成部３０（３０Ｙ，３０Ｍ，３０Ｃ，３０Ｋ）のうち、いずれか１つの画像形成部３０に対応する色のビットマップデータＢＭまたはラインデータＢＭＬＤを用いて、上記実施の形態における「（３）の手順」が実施される。なお、各色のビットマップデータＢＭまたはラインデータＢＭＬＤの画素パターンによっては、分割部１０５は、４つの画像形成部３０（３０Ｙ，３０Ｍ，３０Ｃ，３０Ｋ）のうち、少なくとも１つの画像形成部３０に対応する色のビットマップデータＢＭまたはラインデータＢＭＬＤの画素パターンに基づいて、ビットマップデータＢＭまたはラインデータＢＭＬＤを分割するようになっていてもよい。
【００７７】
本実施の形態の画像形成装置２では、上記実施の形態の画像形成装置１と同様、ビットマップデータＢＭまたはラインデータＢＭＬＤの画素パターンに基づいて、ビットマップデータＢＭまたはラインデータＢＭＬＤが複数のラインデータＢＭＬＤ１，ＢＭＬＤ２に分割される。これにより、ビットマップデータＢＭまたはラインデータＢＭＬＤを、筋が目立ち難い画素パターンの輪郭（外縁）部分で２つのラインデータＢＭＬＤ１，ＢＭＬＤ２に分割することが可能となる。その結果、筋を目立ち難くすることができる。
【００７８】
＜３．第３の実施の形態＞
次に、本発明の第３の実施の形態に係る発光装置３について説明する。図１５は、発光装置３の概略構成例を表したものである。発光装置３は、残像効果を利用した表示装置であり、例えば、ＬＥＤヘッドモジュール３３と、ＬＥＤヘッドモジュール３３を制御する制御基板３００とを備えている。ＬＥＤヘッドモジュール３３および制御基板３００は、例えば、収容部３Ａ内に収容されている。制御基板３００は、例えば、図１６に示したように、上記実施の形態の制御基板１００においてメカ制御部１０３の代わりに、タイミング生成部３０１および加速度センサ３０２を設けたものに相当する。なお、加速度センサ３０２は、必要に応じて省略することが可能である。
【００７９】
タイミング生成部３０１は、例えば、ＣＰＵ１０２からの制御信号と、加速度センサ３０２から入力される検知信号とに基づいて、ライン同期信号１０３Ｄを生成し、ラインカウンタ１０６およびラインバッファ１０７に出力するようになっている。ＣＰＵ１０２からの制御信号には、ヘッドデータ１０７Ｂを出力するタイミングに関する設定値（タイミングｔａ０など）が含まれる。なお、加速度センサ３０２が省略されている場合には、タイミング生成部３０１は、例えば、ＣＰＵ１０２からの制御信号に基づいて、ライン同期信号１０３Ｄを生成し、ラインカウンタ１０６およびラインバッファ１０７に出力するようになっている。加速度センサ３０２は、発光装置３が外力によって周期的に振動もしくは回転しているときに、その振動もしくは回転を検知し、検知した結果を検知信号としてタイミング生成部３０１に出力するようになっている。
【００８０】
発光装置３が、例えば、人や振動装置によって周期的に振動したり、車両のタイヤ部分に取り付けられることにより回転したりしているときに、ＬＥＤヘッドモジュール３３から、映像を分割した複数の断片（１ライン分の映像）の光が順次、出力される。これにより、人は、発光装置３から出力された過去の光を残像として認識するので、発光装置３が周期的に振動したり、回転したりしている領域に、映像が映し出されているように認識する。
【００８１】
本実施の形態の発光装置３では、上記実施の形態の画像形成装置１と同様、ビットマップデータＢＭまたはラインデータＢＭＬＤの画素パターンに基づいて、ビットマップデータＢＭまたはラインデータＢＭＬＤが複数のラインデータＢＭＬＤ１，ＢＭＬＤ２に分割される。これにより、ビットマップデータＢＭまたはラインデータＢＭＬＤを、筋が目立ち難い画素パターンの輪郭（外縁）部分で２つのラインデータＢＭＬＤ１，ＢＭＬＤ２に分割することが可能となる。その結果、映像において、筋を目立ち難くすることができる。
【００８２】
＜４．第４の実施の形態＞
次に、本発明の第４の実施の形態に係る発光装置４について説明する。図１７は、発光装置４の概略構成例を表したものである。発光装置４は、残像効果を利用した表示装置であり、例えば、複数のＬＥＤヘッドモジュール３３と、複数のＬＥＤヘッドモジュール３３を制御する制御基板４００とを備えている。複数のＬＥＤヘッドモジュール３３は、例えば、長手方向が互いに同じ方向を向くように規則的に配置されており、さらに、端部が互いに揃うように一列に配列されている。このような配置により、複数のＬＥＤヘッドモジュール３３は、発光装置４において表示部４Ａとして機能する。
【００８３】
制御基板４００は、例えば、図１８に示したように、上記実施の形態の制御基板３００において加速度センサ３０２が省略されるとともに、ラインバッファ１０７，１０８の出力を、複数のＬＥＤヘッドモジュール３３のうちの１つと接続するためのスイッチング部１１０が設けられたものに相当する。スイッチング部１１０は、タイミング生成部３０１およびラインカウンタ１０６からのライン同期信号１０３Ｄ，１０６Ａに基づいて、複数のＬＥＤヘッドモジュール３３を１つずつ、順番に選択するようになっている。
【００８４】
例えば、発光装置４の前を人が横切ろうとしたときに、複数のＬＥＤヘッドモジュール３３から、映像を分割した複数の断片（１ライン分の映像）の光が順次、出力される。これにより、人は、発光装置４から出力された過去の光を残像として認識するので、発光装置４の表示部４Ａ全体から映像が映し出されているように認識する。
【００８５】
本実施の形態の発光装置４では、上記実施の形態の画像形成装置１と同様、ビットマップデータＢＭまたはラインデータＢＭＬＤの画素パターンに基づいて、ビットマップデータＢＭまたはラインデータＢＭＬＤが複数のラインデータＢＭＬＤ１，ＢＭＬＤ２に分割される。これにより、ビットマップデータＢＭまたはラインデータＢＭＬＤを、筋が目立ち難い画素パターンの輪郭（外縁）部分で２つのラインデータＢＭＬＤ１，ＢＭＬＤ２に分割することが可能となる。その結果、映像において、筋を目立ち難くすることができる。
【００８６】
＜５．変形例＞
以下に、種々の変形例について説明する。
【００８７】
上記第１および第２の実施の形態では、画像転写が直接方式となっていたが、間接方式となっていてもよい。また、上記各実施の形態では、ＬＥＤ１３７が用いられていた。しかし、上記各実施の形態において、ＬＥＤ１３７の代わりに、または、ＬＥＤ１３７とともに、レーザ素子等が用いられてもよい。
【００８８】
上記各実施の形態において説明した一連の処理は、ハードウェア（回路）で行われてもよいし、ソフトウェア（プログラム）で行われてもよい。上記一連の処理がソフトウェアで行われる場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【００８９】
上記第１および第２の実施の形態では、電子写真プリンタを例に挙げて、本発明の一実施の形態について説明が行われた。しかし、本発明は、カラー機やプリンタへの適用に限定されるものではく、搬送される媒体上に画像形成する画像形成装置全般に適用することの可能なものである。本発明は、例えば、モノクロコピー機、カラーコピー機、モノクロＭＦＰ、カラーＭＦＰなどに適用可能なものである。
【００９０】
なお、本発明は、例えば、複数の線状光源や複数の発光素子を１次元や２次元など多次元に配置したアレイ状ヘッドなどを組み合わせた発光モジュールを用いる分野や、複数台のプロジェクタの画像を部分的に重ねて投影する画像投影システム等において生じる問題（筋の発生）を低減することができる。
【符号の説明】
【００９１】
１，２…画像形成装置、３，４…発光装置、３Ａ…収容部、４Ａ…表示部、１０…給紙部、１１…給紙トレイ、１２……ピックアップローラ、２０…搬送部、２１，２２…レジストローラ対、２３，２４，２５…センサ、３０…画像形成部、３１…感光ドラム、３１Ａ…周面、３２…帯電ローラ、３３，３３（１），３３（２），３３（３），３３（ｎ−１），３３（ｎ）…ＬＥＤヘッドモジュール、３３ａ，３３ｂ…ＬＥＤヘッド、３４…現像ローラ、３５…供給ローラ、３６…カートリッジ、３７…現像剤、３８…規制ブレード、３９…クリーニングブレード、４０…転写部、５０…定着部、５１…上部ローラ、５２…下部ローラ、６０…排出部、６１，６２，６３…搬送ローラ対、６４…センサ、７０…筐体、７０Ａ…スタッカ、１００，３００，４００…制御基板、１０１…ホストＩ／Ｆ、１０２…ＣＰＵ、１０３…メカ制御部、１０３Ａ…高電圧、１０３Ｂ…制御信号、１０３Ｃ…検知信号、１０３Ｄ，１０６Ａ…ライン同期信号、１０４…画像形成部、１０５…分割部、１０６…ラインカウンタ、１０７，１０８…ラインバッファ、１０７Ａ，１０８Ａ…クロック、１０７Ｂ，１０８Ｂ…ヘッドデータ、１０７Ｃ，１０８Ｃ…ラッチ回路、１０７Ｄ，１０８Ｄ…ストローブ信号、１０９…ＣＰＵバス、１３１…シフトレジスタ、１３２…ラッチ回路、１３３ａ，１３３ｂ…線発光部、１３４…ＡＮＤゲート、１３５…電流制御回路、１３６…ＦＥＴ、１３７…ＬＥＤ、２００…情報処理装置、３０１…タイミング生成部、３０２…加速度センサ、ａ０，ｂ０，ｂ１，ｂ２，ｂ３，ｂ４，ｂ５，ｂ６，ｂ７…設定、ＢＬ…最大長境界、ＢＭ…ビットマップデータ、ＢＭＬＤ１，ＢＭＬＤ２…ラインデータ、ＢＲ…黒線、ｃ１…論理中心、ｃ２…物理中心、Ｄｉ…画像データ、Ｉｄ…線状像、ＯＬ…重複部分、Ｐｘ（１）〜Ｐｘ（Ｎ），Ｐｘａ（１）〜Ｐｘａ（Ｍ），Ｐｘｂ（１）〜Ｐｘｂ（Ｍ）…画素データ、Ｔ１，Ｔ２，Ｔ３，Ｔｋ，Ｔｋ＋１…期間、ｔａ０，ｔｂ０，ｔｂ１，ｔｂ２，ｔｂ３，ｔｂ４…タイミング、ＰＭ…媒体、ＷＲ…白線。
【図１】
2016221762.tif 000003
【図２】
2016221762.tif 000004
【図３】
2016221762.tif 000005
【図４】
2016221762.tif 000006
【図５】
2016221762.tif 000007
【図６】
2016221762.tif 000008
【図７Ａ】
2016221762.tif 000009
【図７Ｂ】
2016221762.tif 000010
【図８】
2016221762.tif 000011
【図９】
2016221762.tif 000012
【図１０】
2016221762.tif 000013
【図１１Ａ】
2016221762.tif 000014
【図１１Ｂ】
2016221762.tif 000015
【図１１Ｃ】
2016221762.tif 000016
【図１１Ｄ】
2016221762.tif 000017
【図１１Ｅ】
2016221762.tif 000018
【図１１Ｆ】
2016221762.tif 000019
【図１２Ａ】
2016221762.tif 000020
【図１２Ｂ】
2016221762.tif 000021
【図１２Ｃ】
2016221762.tif 000022
【図１２Ｄ】
2016221762.tif 000023
【図１３】
2016221762.tif 000024
【図１４】
2016221762.tif 000025
【図１５】
2016221762.tif 000026
【図１６】
2016221762.tif 000027
【図１７】
2016221762.tif 000028
【図１８】
2016221762.tif 000029